(57)【特許請求の範囲】
【請求項１】
室内機及び当該室内機との間で双方向通信を行うリモコンを備え、
前記リモコンは表示部と操作部を有し、前記操作部には前記室内機に対し情報を要求するリクエストボタンが設けられているとともに、前記室内機に要求して取得した複数項目の情報が項目単位で前記表示部に所定時間ずつ表示される自動表示モードと、前記操作部内の特定の操作ボタンを操作する度に、前記複数項目の情報が項目単位で前記表示部に切り換え表示される手動表示モードを備え、
前記操作部には温度上下ボタンが含まれ、前記室内機が運転中であるとボタンは前記温度上下ボタン以外のボタンが前記特定の操作ボタンとしての役割を果たし、前記室内機が運転停止中であるとボタンは前記温度上下ボタンが前記特定の操作ボタンとしての役割を果たすことを特徴とする空気調和機。
【請求項２】
前記室内機から有効な情報を受信したとの判定を受けて自動表示が自動的に開始されることを特徴とする請求項１に記載の空気調和機。
【請求項３】
自動表示の間に前記特定の操作ボタンが操作されることにより手動表示に切り換わることを特徴とする請求項１または２に記載の空気調和機。
【請求項４】
前記リモコンは前記操作部の少なくとも一部を覆う蓋を有し、前記特定の操作ボタンは前記操作部の中で前記蓋により覆われる部分に設けられており、自動表示中に前記蓋が開かれることにより手動表示に切り換わることを特徴とする請求項１から３のいずれか１項に記載の空気調和機。
【請求項５】
前記リモコンは前記操作部の少なくとも一部を覆う蓋を有し、前記特定の操作ボタンは前記操作部の中で前記蓋により覆われる部分に設けられており、自動表示中に前記蓋が開かれると、表示中の情報の表示時間が延長されることを特徴とする請求項１から３のいずれか１項に記載の空気調和機。
【請求項６】
前記表示部はバックライトを備え、自動表示と手動表示で前記バックライトの点灯時間が異なることを特徴とする請求項１から３のいずれか１項に記載の空気調和機。
【請求項７】
前記表示部はバックライトを備え、自動表示と手動表示で前記バックライトの点灯色が異なることを特徴とする請求項１から６のいずれか１項に記載の空気調和機。
【請求項８】
自動表示で最後に表示される情報項目の表示時間が他の情報項目の表示時間より長く設定されていることを特徴とする請求項１から７のいずれか１項に記載の空気調和機。
【請求項９】
自動表示で最初に表示される情報項目の表示時間が他の情報項目の表示時間より短く設定されていることを特徴とする請求項１から８のいずれか１項に記載の空気調和機。
【請求項１０】
手動表示で最後に表示された情報項目が、次回の情報取得時に最初に表示される情報項目となることを特徴とする請求項１から９のいずれか１項に記載の空気調和機。
【請求項１１】
情報項目の表示順序がカスタマイズ可能であることを特徴とする請求項１から１０のいずれか１項に記載の空気調和機。
【発明の詳細な説明】
【技術分野】
【０００１】
本発明はリモートコントローラ（以下「リモコン」と略称する）を備えた空気調和機に関する。
【背景技術】
【０００２】
空気調和機の中には、室内機（セパレート型空気調和機であればその室内機、単一ハウジングに室内ユニットと室外ユニットが納められた一体型空気調和機であればその空気調和機本体）とリモコンの間で双方向通信を行い、空気調和機の情報をリモコンに表示するようにしたものがある。その例を特許文献１に見ることができる。
【０００３】
特許文献１記載の空気調和機のリモコンは、操作によって空気調和機の情報を要求するリクエスト信号を出力するリクエストボタンを有しており、リクエスト信号に応答して室内機本体は空気調和機の情報を送信し、リモコンは受信した情報を表示部の画面上に表示する。空気調和機の情報は複数の情報からなり、表示中はリクエストボタン操作の都度、次の情報が表示される。所定時間ボタン入力がない場合は、表示部の表示は空気調和機の情報を表示する以前の状態に戻る。
【先行技術文献】
【特許文献】
【０００４】
【特許文献１】特許第４５５３４６５号公報
【発明の概要】
【発明が解決しようとする課題】
【０００５】
特許文献１記載の空気調和機では、リモコンのリクエストボタンを逐一操作しないかぎり、複数存在する空気調和機の情報を最後まで見ることができなかった。
【０００６】
本発明は上記の点に鑑みなされたものであり、室内機とリモコンの間で双方向通信を行わせ、リモコンが取得した情報をリモコンの表示部に表示させる空気調和機において、リモコンに空気調和機の情報を表示させるのに要する使用者の手間を軽減し、使い勝手の向上を図ることを目的とする。
【課題を解決するための手段】
【０００７】
本発明の好ましい実施形態によれば、空気調和機は、室内機及び当該室内機との間で双方向通信を行うリモコンを備え、前記リモコンは表示部と操作部を有し、前記操作部には前記室内機に対し情報を要求するリクエストボタンが設けられているとともに、前記室内機に要求して取得した複数項目の情報が項目単位で前記表示部に所定時間ずつ表示される自動表示モードと、前記操作部内の特定の操作ボタンを操作する度に、前記複数項目の情報が項目単位で前記表示部に切り換え表示される手動表示モードを備え、前記操作部には温度上下ボタンが含まれ、前記室内機が運転中であるとボタンは前記温度上下ボタン以外のボタンが前記特定の操作ボタンとしての役割を果たし、前記室内機が運転停止中であるとボタンは前記温度上下ボタンが前記特定の操作ボタンとしての役割を果たす。
【０００８】
また、上記構成の空気調和機において、前記室内機から有効な情報を受信したとの判定を受けて自動表示が自動的に開始されることが好ましい。
【００１０】
また、上記構成の空気調和機において、自動表示の間に前記特定の操作ボタンが操作されることにより手動表示に切り換わることが好ましい。
【００１１】
また、上記構成の空気調和機において、前記リモコンは前記操作部の少なくとも一部を覆う蓋を有し、前記特定の操作ボタンは前記操作部の中で前記蓋により覆われる部分に設けられており、自動表示中に前記蓋が開かれることにより手動表示に切り換わることが好ましい。
【００１２】
また、上記構成の空気調和機において、前記リモコンは前記操作部の少なくとも一部を覆う蓋を有し、前記特定の操作ボタンは前記操作部の中で前記蓋により覆われる部分に設けられており、自動表示中に前記蓋が開かれると、表示中の情報の表示時間が延長されることが好ましい。
【００１３】
また、上記構成の空気調和機において、前記表示部はバックライトを備え、自動表示と手動表示で前記バックライトの点灯時間が異なることが好ましい。
【００１４】
また、上記構成の空気調和機において、前記表示部はバックライトを備え、自動表示と手動表示で前記バックライトの点灯色が異なることが好ましい。
【００１５】
また、上記構成の空気調和機において、自動表示で最後に表示される情報項目の表示時間が他の情報項目の表示時間より長く設定されていることが好ましい。
【００１６】
また、上記構成の空気調和機において、自動表示で最初に表示される情報項目の表示時間が他の情報項目の表示時間より短く設定されていることが好ましい。
【００１７】
また、上記構成の空気調和機において、手動表示で最後に表示された情報項目が、次回の情報取得時に最初に表示される情報項目となることが好ましい。
【００１８】
また、上記構成の空気調和機において、情報項目の表示順序がカスタマイズ可能であることが好ましい。
【発明の効果】
【００１９】
本発明に係る空気調和機のリモコンは、室内機に要求して取得した複数項目の情報が項目単位で表示部に所定時間ずつ表示される自動表示モードと、特定の操作ボタンを操作する度に複数項目の情報が項目単位で表示部に切り換え表示される手動モードを備えているから、自動表示で次々と情報が表示されるにまかせて全項目の情報をチェックすることもできれば、手動表示にして、見たい情報をじっくりと見ることもでき、きわめて使い勝手が良い。
【図面の簡単な説明】
【００２０】
【図１】空気調和機の概略構成を示すブロック図である。
【図２】リモコンの正面図である。
【図３】蓋を開いた状態のリモコンの正面図である。
【図４】切り換え表示される表示の例を示す説明図である。
【図５】情報受信処理のフローチャートである。
【図６】ボタン操作処理のフローチャートである。
【図７】情報表示処理の第１のフローチャートである。
【図８】情報表示処理の第２のフローチャートである。
【図９】情報表示処理の第３のフローチャートである。
【発明を実施するための形態】
【００２１】
以下本発明の実施形態を図に基づき説明する。空気調和機１は室内機２とリモコン３を有する。室内機２は、空気調和機１が室内機と室外機からなるセパレート型空気調和機であればその室内機、単一ハウジングに室内ユニットと室外ユニットが納められた一体型空気調和機であればその空気調和機本体ということになる。
【００２２】
室内機２は、中央処理装置（ＣＰＵ）を中心的構成要素として含む制御部４と、制御部４に接続された送受信回路５を有している。室内機２はこの他にも、熱交換器や送風ファンなど、空気調和機として必須の構成要素を備えているが、それらは周知構成なので図示しない。
【００２３】
リモコン３は、中央処理装置（ＣＰＵ）を中心的構成要素として含む制御部６と、制御部６に接続された送受信回路７、表示部８、及び操作部９を有している。送受信回路７は室内機２の送受信回路５との間で赤外線による双方向通信を行う。
【００２４】
図２及び図３にリモコン３の実施形態を示す。リモコン３は手で握れる細長い筐体１０を有する。以下の説明では、図２及び図３で上になっている側を「上」、下になっている側を「下」、左になっている側を「左」、右になっている側を「右」と方位を割り当てるものとする。
【００２５】
筐体１０の表面は、上部が表示部８、下部が操作部９と区分されている。表示部８は形状が上下に長い矩形で、液晶パネルなどの表示要素と、それを覆う保護レンズにより構成される。
【００２６】
操作部９は、その面積の大部分が蓋１１によって覆われる。蓋１１はヒンジ部１２（図３参照）によって筐体１０に連結され、ヒンジ部１２を支点として開閉する。操作部９には、蓋１１より上の部分、蓋１１の表面、及び蓋１１によって覆われる部分の３箇所に、各種操作ボタンやインジケータランプが分散して配置される。以下、どの箇所に何が配置されているかにつき説明する。但し、説明が煩雑になるのを避けるため、符号を付して詳細に機能を説明するのは本発明に関連する一部の操作ボタンのみとし、他の操作ボタンやインジケータランプについては主要なものの機能の概要を紹介するにとどめる。
【００２７】
蓋１１より上の部分には、表示部８のすぐ下の箇所に、「冷房」「除湿」「暖房」という３通りの運転態様を選択するための３個の操作ボタンが横並びに並び、その下に、運転を停止させる停止ボタンが置かれている。
【００２８】
蓋１１の表面には、中央に温度上下ボタン１３が配置される。温度上下ボタン１３はシーソーボタンであり、上部（表面に上向きの山形記号が付されている箇所）または下部（表面に下向きの山形記号が付されている箇所）を押すことにより、設定温度を変えることができる。上部を押せば設定温度が上昇し、下部を押せば設定温度が下降する。
【００２９】
温度上下ボタン１３の下に横並びで並ぶ３個の操作ボタンのうち、両端の２個が、室内機２に対し情報を要求するときに用いるリクエストボタンとされている。右側のリクエストボタン１４は温度などの情報を要求するのに用い、左側のリクエストボタン１５は電気代の情報を要求するのに用いる。
【００３０】
蓋１１で覆われる箇所には、図３に示すように、６行３列のマトリックスをなす形で操作ボタンが配置されている。左端の列の下から２番目の操作ボタンは設定時刻に運転を開始させる動作を選択する入タイマーボタン１６とされ、その下の操作ボタンは設定時刻に運転を停止する動作を選択する切タイマーボタン１７とされている。
【００３１】
入タイマーボタン１６の右側の操作ボタンはタイマー時刻を進めるための「すすむ」ボタン１８とされ、切タイマーボタン１７の右側の操作ボタンはタイマー時刻を戻すための「もどす」ボタンとされている。「すすむ」ボタン１８の表面には上向きの山形記号が付されており、「もどる」ボタン１９の表面には下向きの山形記号が付されている。「すすむ」ボタン１８と「もどる」ボタン１９が、手動表示を行わせるときの特定の操作ボタンとして機能する。
【００３２】
リモコンは、操作ボタンを押すことにより室内機２を各種態様で運転することができる他、室内機２から情報を受信して表示部８に表示することができる。リクエストボタン１４を押せば温度などの情報を取得でき、リクエストボタン１５を押せば電気代の情報を取得することができる。リクエストボタン１４、１５による情報の要求は室内機２が運転中であっても停止中であっても有効とされる。
【００３３】
リクエストボタン１４または１５を押すことによって取得される情報は複数項目にわたる。これら複数項目にわたる情報は「自動表示」または「手動表示」で表示部８に表示される。以下、図５以下のフローチャートと図４の説明図を参照しつつ、自動表示と手動表示の内容を説明する。
【００３４】
図５には、リモコン３が室内機２からデータ（情報）を受信するときのフローが示されている。ステップ＃１０１において制御部６は、データ受信の有無を判定する。判定がＮＯであればステップ＃１０２に進み、判定がＹＥＳであればステップ＃１０３に進む。
【００３５】
ステップ＃１０２で制御部６は、受信エラー判定時間として設定した時間が経過したかどうかを判定する。判定がＮＯであればフローの最初に戻り、判定がＹＥＳであればステップ＃１０６に進む。
【００３６】
ステップ＃１０１からステップ＃１０３に進んだ場合は、制御部６はデータ受信が終了したかどうかを判定する。判定がＮＯであればフローの最初に戻り、判定がＹＥＳであればステップ＃１０４に進む。
【００３７】
ステップ＃１０４で制御部６は、受信したデータが有効データであるかどうかを判定する。判定がＮＯであればステップ＃１０６に進み、判定がＹＥＳであればステップ＃１０５に進む。
【００３８】
ステップ＃１０５では表示処理ステータスが「情報表示」とされる。これにより表示が開始される。この時の表示モードは自動表示モードである。
【００３９】
ステップ＃１０６では情報処理ステータスが「エラー表示」とされる。これにより表示部８には所定のエラー表示がなされることになる。
【００４０】
ステップ＃１０５の処理で自動表示モードとなったことを受けて、室内機２から取得した複数項目の情報が表示部８にスライドショー形式で表示される。すなわち複数項目の情報が項目単位で所定時間ずつ表示される。リクエストボタン１４を押して情報を取得したときの項目表示の例を図４に示す。なお、図４の記載は単なる例示であって、何ら発明を限定するものでないことは言うまでもない。
【００４１】
図４において、最初（一番上）の項目表示は「冷房２７℃：運転中」となっている。これは運転態様の項目であり、運転態様が「冷房」であること、設定温度が２７℃であること、及びこの設定で運転中であること、が表されている。この項目表示が所定時間継続した後、二番目の項目表示に切り換わる。
【００４２】
二番目の項目表示は「室内２８℃：５０％：室外３５℃」となっている。これは周囲環境の項目であり、室内気温が２８℃であること、室内湿度が５０％であること、及び室外気温が３５℃であること、が表されている。この項目表示が所定時間継続した後、三番目の項目表示に切り換わる。
【００４３】
三番目の項目表示は「イオン発生残時間」となっている。室内機２は図示しないプラズマイオン発生機を内蔵し、プラスイオンとマイナスイオンを放出することが可能である。このプラズマイオン発生機の寿命の残時間がインクリメントブロックで表現されている。この項目表示が所定時間継続した後、次の項目表示に切り換わる。このようにして最後の項目表示まで進み、最後の項目が所定時間表示されると表示は終了する。
【００４４】
リクエストボタン１５を押して情報を取得したときも、リクエストボタン１４を押して情報を取得したときと同様、複数項目の情報が項目単位で所定時間ずつ表示される。最後の項目が所定時間表示されると表示は終了する。
【００４５】
自動表示が行われている間に、手動表示を行わせるための特定の操作ボタンである「すすむ」ボタン１８または「もどる」ボタン１９が押されると、自動表示モードから手動表示モードに切り換わる。手動表示モードでは、「すすむ」ボタン１８または「もどる」ボタン１９が操作される（この場合は「押される」）度に、複数項目の情報が項目単位で表示部８に切り換え表示される。「すすむ」ボタン１８または「もどる」ボタン１９が押されたときの処理のフローを、図６により説明する。
【００４６】
図６のステップ＃１１１において、制御部６は、「すすむ」ボタン１８または「もどる」ボタン１９が押されたかどうかを判定する。判定がＮＯであればフローの最初に戻り、判定がＹＥＳであればステップ＃１１２に進む。
【００４７】
ステップ＃１１２で制御部６は、室内機２から取得した情報が表示部８に表示中（この時の表示は自動表示）であるかどうかを判定する。判定がＮＯであればステップ＃１１３に進み、判定がＹＥＳであればステップ＃１１４に進む。
【００４８】
ステップ＃１１３に進んだときは、情報自動表示中ではないため、「すすむ」ボタン１８または「もどる」ボタン１９が押されたことを、通常の入タイマーの時刻設定または切タイマーの時刻設定として処理する。そしてフローの最初に戻る。
【００４９】
ステップ＃１１４で制御部６は、手動表示ステータスとされたかどうかを判定する。判定がＹＥＳであればステップ＃１１５に進み、判定がＮＯであればステップ＃１１６に進む。
【００５０】
ステップ＃１１５に進んだときは、「すすむ」ボタン１８または「もどる」ボタン１９が押された、とのステータスがセットされる。
【００５１】
ステップ＃１１６に進んだときは、手動表示モードのステータスがセットされるとともに、表示部８における自動表示のタイマー時間がセットされる。
【００５２】
自動表示と手動表示を統合した情報表示処理のフローを図７から図９までのフローチャートに基づき説明する。図７から図９は単一のフローを三つの部分に分割して記載したものであり、図７のフローと図８のフローは結合点Ａ、Ｂ、Ｃで結合し、図８のフローと図９のフローは結合点Ｄ、Ｅで結合する。
【００５３】
図７のステップ＃１２１で制御部６は、表示処理の有無を判定する。図５のステップ＃１０５で表示処理ステータスが「情報表示」とされたことを受けて、ステップ＃１２１で「表示処理有り」となる。判定がＮＯであればフローの最初に戻り、判定がＹＥＳであればステップ＃１２２に進む。
【００５４】
ステップ＃１２２で制御部６は、手動表示ステータスがセットされたかどうかを判定する。図６のステップ＃１１６で手動表示モードのステータスがセットされたことが、ステップ＃１２２に反映される。判定がＹＥＳであればステップ＃１２３に進み、判定がＮＯであれば図８のステップ＃１５１に進む。
【００５５】
ステップ＃１２３で制御部６は、「すすむ」ボタン１８が押されたかどうかを判定する。判定がＹＥＳであればステップ＃１２４に進み、判定がＮＯであればステップ＃１３１に進む。
【００５６】
ステップ＃１２４で制御部６は、表示情報カウントがＭＡＸかどうかを判定する。「表示情報カウントがＭＡＸ」とは、情報の項目表示が最後の項目に至っていることを意味する。判定がＮＯであればステップ＃１２５に進み、判定がＹＥＳであればステップ＃１２６に進む。また、ＹＥＳの場合、繰り返し表示できるよう情報表示カウントを最初に戻してもよい。
【００５７】
ステップ＃１２５に進んだときは、項目表示が最後の項目にまで至っていないため、表示情報カウントが「＋１」とされる。すなわち「すすむ」ボタン１８が押されると項目表示が次表示に切り換わる。
【００５８】
ステップ＃１２６に進んだときは、表示タイマーの時間がセットされる。これにより、所定時間の表示が行われる。
【００５９】
ステップ＃１２３からステップ＃１３１に進んだときは、制御部６は「もどる」ボタン１９が押されたかどうかを判定する。判定がＹＥＳであればステップ＃１３２に進み、判定がＮＯであれば図８のステップ＃１４１に進む。
【００６０】
ステップ＃１３２で制御部６は、表示情報カウントがＭＩＮかどうかを判定する。「表示情報カウントがＭＩＮ」とは、情報の項目表示が最初の項目であることを意味する。判定がＮＯであればステップ＃１３３に進み、判定がＹＥＳであればステップ＃１３４に進む。また、ＹＥＳの場合、繰り返し表示できるよう情報表示カウントを最後にしてもよい。
【００６１】
ステップ＃１３３に進んだときは、項目表示が最初の項目より進んだ段階にあるため、表示情報カウントが「−１」とされる。すなわち「もどる」ボタン１９が押されると項目表示が前表示に切り換わる。
【００６２】
ステップ＃１３４に進んだときは、表示タイマーの時間がセットされる。これにより、所定時間の表示が行われる。
【００６３】
図８に移る。ステップ＃１４１で制御部６は、所定の表示時間が経過したかどうかを判定する。判定がＹＥＳであればステップ＃１４２に進み、判定がＮＯであればステップ＃１４３に進む。
【００６４】
ステップ＃１４２に進んだときは、表示終了処理が行われる。表示部８にバックライトが設けられている場合は、バックライトが消灯された後、表示部８の表示が消える。
【００６５】
ステップ＃１４３に進んだときは、現在の情報表示を継続する処理が行われる。
【００６６】
図７のステップ＃１２２で手動表示モードのステータスがセットされていなかったことを受けてステップ＃１５１に進んだときは、自動表示モードのステータスとなり、制御部６は表示情報カウントが「０」であるかどうかを判定する。表示情報カウント「０」とは項目表示が最初の項目であることを意味する。判定がＹＥＳであればステップ＃１５２に進み、判定がＮＯであればステップ＃１６１に進む。
【００６７】
ステップ＃１５２に進んだときは、表示切り換えタイマーの時間がセットされるとともに、表示情報カウントが「１」とされる。
【００６８】
ステップ＃１６１に進んだときは、制御部６は表示情報カウントが「１」であるかどうかを判定する。判定がＹＥＳであればステップ＃１６２に進み、判定がＮＯであれば図９のステップ＃１７１に進む。
【００６９】
ステップ＃１６２で制御部６は、表示切り換え時間が経過したかどうかを判定する。判定がＹＥＳであればステップ＃１６３に進み、判定がＮＯであればステップ＃１６４に進む。
【００７０】
ステップ＃１６３に進んだときは、表示切り換えタイマーの時間がセットされるとともに、表示情報カウントが「２」とされる。
【００７１】
ステップ＃１６４に進んだときは、最初の表示項目である情報表示１のデータがセットされる。
【００７２】
図９に移る。ステップ＃１７１で制御部６は、表示情報カウントが「２」であるかどうかを判定する。判定がＹＥＳであればステップ＃１７２に進み、判定がＮＯであればステップ＃１８１に進む。
【００７３】
ステップ＃１７２で制御部６は、表示切り換え時間が経過したかどうかを判定する。判定がＹＥＳであればステップ＃１７３に進み、判定がＮＯであればステップ＃１７４に進む。
【００７４】
ステップ＃１７３に進んだときは、表示切り換えタイマーの時間がセットされるとともに、表示情報カウントが「３」とされる。
【００７５】
ステップ＃１７４に進んだときは、最初の表示項目の情報表示１から情報表示２のデータがセットされる。
【００７６】
ステップ＃１８１で制御部６は、表示情報カウントが「３」であるかどうかを判定する。判定がＹＥＳであればステップ＃１８２に進み、判定がＮＯであればステップ＃１９１に進む
【００７７】
ステップ＃１８２で制御部６は、表示切り換え時間が経過したかどうかを判定する。判定がＹＥＳであればステップ＃１８３に進み、判定がＮＯであればステップ＃１８４に進む。
【００７８】
ステップ＃１８３に進んだときは、表示切り換えタイマーの時間がセットされるとともに、表示情報カウントが「４」とされる。
【００７９】
ステップ＃１８４に進んだときは、２番目の表示項目の情報表示２から情報表示３（最後）のデータがセットされる。
【００８０】
ステップ＃１９１で制御部６は、表示切り換え時間が経過したかどうかを判定する。判定がＹＥＳであればステップ＃１９２に進み、判定がＮＯであれば情報表示処理を抜ける（return）。この時情報表示３は維持される。
【００８１】
ステップ＃１９２に進んだということは、スライドショー形式の自動表示が終末を迎えたということを意味する。この時は表示終了処理が行われる。表示部８の表示が消え、表示部８にバックライトが設けられている場合は、バックライトが消灯される。
【００８２】
以上、本発明の骨子となる情報処理のフローについて説明したが、以下に述べる各種変形実施態様も、発明の効果を高めるものである。
【００８３】
自動表示から手動表示に切り換える特定の操作ボタンとして、実施形態では「すすむ」ボタン１８と「もどる」ボタン１９を用いたが、温度上下ボタン１３をその特定の操作ボタンとすることもできる。なお温度上下ボタン１３を特定の操作ボタンとして機能させられるのは室内機２が停止している時だけである。室内機２の運転中は、温度上下ボタン１３は、設定温度の上下という本来目的に用いられねばならない。
【００８４】
実施形態では、蓋１１を開いて「すすむ」ボタン１８と「もどる」ボタン１９を露出させ、そのどちらかのボタンを押すことにより自動表示から手動表示に切り換わることとしたが、自動表示中に蓋１１を開くだけで、自動表示から手動表示に切り換わるようにしてもよい。これにより、手動表示への切り換えをスピーディーに行える。
【００８５】
自動表示中に蓋１１を開くことにより、その時点で表示中の情報の表示時間が延長されるようにしてもよい。これにより、使用者はゆとりをもって特定の操作ボタンを操作し、自動表示から手動表示に切り換えることができる。
【００８６】
表示部８にバックライトを設け、そのバックライトの点灯時間を自動表示と手動表示で異ならせるようにしてもよい。例えば、自動表示の場合はスライドショーの間中バックライトを点灯させる。手動表示の場合は、それぞれの項目表示の最初の期間（例えば１０秒間）だけバックライトを点灯させる。
【００８７】
自動表示の場合、項目表示時間を短く（例えば４秒間）に設定すれば、スライドショーが最後まで進行してもバックライトの点灯時間は長くならない。これに対し手動表示の場合、各項目表示におけるバックライト点灯時間に制限を設けないとリモコン３の電源である電池が消耗してしまう。バックライトの点灯時間を自動表示と異ならせる意味はここにある。
【００８８】
なお手動表示の場合、項目表示の表示時間自体にも制限を設け、バックライトの消灯後所定時間（例えば２０秒間）経過後、表示が消えるようにしてもよい。これも電池の消耗を防ぐのに役立つ。
【００８９】
バックライトを設ける場合、そのバックライトは色調を変えられるタイプのものとし、自動表示と手動表示でバックライトの点灯色を異ならせるようにしてもよい。これにより使用者は、自動表示であるか手動表示であるかを一目で見分けることができる。
【００９０】
自動表示の場合、最後に表示される情報項目の表示時間をそれまでの他の情報項目の表示時間より長く設定してもよい。これにより使用者は、最後の情報項目となったことを知ることができる。また、使用者が蓋１１を開けて手動表示に移るまでの時間の余裕ができる。
【００９１】
自動表示の場合、最初に表示される情報項目の表示時間を他の情報項目の表示時間より短く設定してもよい。これにより使用者は、自動表示となったことを短時間で認識することができる。
【００９２】
手動表示で最後に表示された情報項目が、次回の情報取得時に最初に表示される情報項目となるようにしてもよい。手動表示で最後に見た情報項目はそれだけ使用者の関心が高いと考えられ、次回の情報取得時にその情報項目が最初に表示されれば使用者にとり便利である。
【００９３】
情報項目の表示順序が、デフォルト一辺倒でなく、カスタマイズ可能であることとしてもよい。これにより使用者は、どのような順序で情報項目が表示されるかを自由に設定でき、便利である。
【００９４】
上記各種変形実施態様は、相互に矛盾をきたさないかぎり、重複実施が可能である。
【００９５】
以上、本発明の実施形態につき説明したが、本発明の範囲はこれに限定されるものでは
なく、発明の主旨を逸脱しない範囲で種々の変更を加えて実施することができる。
【産業上の利用可能性】
【００９６】
本発明はリモコンを備えた空気調和機に広く利用可能である。
【符号の説明】
【００９７】
１    空気調和機
２    室内機
３    リモートコントローラ（リモコン）
４    制御部
５    送受信回路
６    制御部
７    送受信回路
８    表示部
９    操作部
１０  筐体
１１  蓋
１３  温度上下ボタン
１４、１５  リクエストボタン
１８  「すすむ」ボタン
１９  「もどる」ボタン
【図１】
0005643063.tif 000002
【図２】
0005643063.tif 000003
【図３】
0005643063.tif 000004
【図４】
0005643063.tif 000005
【図５】
0005643063.tif 000006
【図６】
0005643063.tif 000007
【図７】
0005643063.tif 000008
【図８】
0005643063.tif 000009
【図９】
0005643063.tif 000010